(57)【特許請求の範囲】
【請求項１】
筒体状の支持枠体に嵌挿収納することにより自立状態で支持される難自立性容器であって、
＜１＞幅細の円形環状板とその外周に一体形成された垂下片とからなり、上記支持枠体の上面開口縁部に乗載可能にした肉厚の環状枠の内周の下側に、所望の充填物を充填する肉薄の有底筒体を、その有底筒体の上側口縁部において連続させ、該上側口縁部と上記垂下片との間に、上記支持枠体の上面開口縁部に嵌合する環状空処を形成し、
＜２＞その有底筒体の上記上側口縁部から少し下方の外周であって、その直径線上の対向位置に、上記支持枠体に形成したＬ形溝に係入させる係合突起を突設するとともに、
＜３＞上記環状枠の上側に、全体として円錐台形状をなす筒状で、上部の所要幅員を溶着することにより封止可能な肉薄の覆体を、その覆体の下側口縁部において環状枠の上記円形環状板の内周に連続させ、
＜４＞その覆体の上側口縁部から少し下方の外周であって、その直径線上の対向位置に把持用の横長孔を開設し、
＜５＞その覆体の上記下側口縁部から少し上方の外周にキャップを螺合可能な注出口部を突設形成してなることを特徴とする難自立性容器。
【請求項２】
請求項１記載の難自立性容器と、その有底筒体を嵌挿収納できる大きさに形成した筒体状であって、上記有底筒体の環状枠に嵌合する上面開口縁部を有する上記支持枠体とからなることを特徴とする包装体。
【請求項３】
上記支持枠体が、上面開口縁部であって、直径線上の対向位置にＬ形溝を開設していることを特徴とすることを特徴とする請求項２記載の包装体。
【請求項４】
上記支持枠体が、Ｌ形溝より下方であって、直径線上の対向位置に横長孔を開設していることを特徴とする請求項３記載の包装体。
【請求項５】
請求項２，３または４記載の包装体と、段ボール箱とからなることを特徴とする梱包体。
【発明の詳細な説明】
【０００１】
【発明の属する技術分野】
本発明は、袋等の難自立性容器とその支持枠体およびそれらの組合せに関する。
【０００２】
【従来の技術】
袋等の難自立性容器は、通常、各種の紙または軟質合成樹脂製であり、粉体、粒体、液体または粘性体等を収容するのに、広く採用されている。
【０００３】
【発明が解決しようとする課題】
この各種の紙または軟質合成樹脂製の難自立性容器は、文字どおり自立が難しいことにおいて、金属または硬質合成樹脂製の自立性容器に比べて、収容物の充填または取り出しに不便であるとともに、充填物を充填した状態での梱包、出荷輸送、保管にも不便である。
しかし、上記金属または硬質合成樹脂製の自立性容器が、比較的高価であり、使用後の回収は、一旦押し潰す作業をして、あるいは嵩張った状態のままで行わなければならず、特に硬質合成樹脂製のものでは焼却処分したりリサイクルに供する際に、ダイオキシン等有害物質を発生させる欠点があるのに対し、上記難自立性容器は、比較的安価であり、使用後嵩張らない状態にして回収でき、また、焼却処分したりリサイクルに供する際に、ダイオキシン等有害物質を発生させることも殆どないことにおいて、容器として有利なものである。
そこで本発明は、この難自立性容器の有利性を活かしながら、上記した充填物の充填または取り出しの不便、充填物を充填した状態での梱包、出荷輸送、保管の不便を解消しようとするものである。
【０００４】
【課題を解決するための手段】
【０００５】
請求項１記載の本発明は、筒体状の支持枠体Ｂに嵌挿収納することにより自立状態で支持される難自立性容器Ａであって、＜１＞幅細の円形環状板１とその外周に一体形成された垂下片２とからなり、上記支持枠体Ｂの上面開口縁部に乗載可能にした肉厚の環状枠ａの内周の下側に、所望の充填物を充填する肉薄の有底筒体ｂを、その有底筒体ｂの上側口縁部３において連続させ、該上側口縁部３と上記垂下片２との間に、上記支持枠体Ｂの上面開口縁部１１に嵌合する環状空処４を形成し、＜２＞その有底筒体ｂの上記上側口縁部３から少し下方の外周であって、その直径線上の対向位置に、上記支持枠体Ｂに形成したＬ形溝１２，１２に係入させる係合突起５，５を突設するとともに、＜３＞上記環状枠ａの上側に、全体として円錐台形状をなす筒状で、上部の所要幅員を溶着することにより封止可能な肉薄の覆体ｃを、その覆体ｃの下側口縁部６において環状枠ａの上記円形環状板１の内周に連続させ、＜４＞その覆体ｃの上側口縁部７から少し下方の外周であって、その直径線上の対向位置に把持用の横長孔８，８を開設し、＜５＞その覆体ｃの上記下側口縁部６から少し上方の外周にキャップ１０を螺合可能な注出口部９を突設形成してなることを特徴とする難自立性容器である。
【０００６】
請求項２記載の本発明は、請求項１記載の難自立性容器Ａと、その有底筒体ｂを嵌挿収納できる大きさに形成した筒体状であって、上記有底筒体ｂの環状枠ａに嵌合する上面開口縁部１１を有する上記支持枠体Ｂとからなる包装体である。
【０００７】
請求項３記載の本発明は、上記支持枠体Ｂが、上面開口縁部１１であって、直径線上の対向位置にＬ形溝１２，１２を開設していることを特徴とする請求項２記載の包装体である。
【０００８】
請求項４記載の本発明は、上記支持枠体Ｂが、Ｌ形溝１２，１２より下方であって、直径線上の対向位置に横長孔１３，１３を開設していることを特徴とする請求項３記載の包装体である。
【０００９】
請求項５記載の本発明は、請求項２，３，４または記載の包装体と、段ボール箱Ｃとからなる梱包体である。
【００１０】
【発明の実施の形態】
本発明の一実施形態に係る、軟質合成樹脂により成形した難自立性容器の構成は、次のとおりである。
すなわち、図示の難自立性容器Ａは、細幅の円形環状板１の外周に垂下片２を一体形成してなる比較的肉厚の環状枠ａの下側に、比較的肉薄の有底筒体ｂを一連に連続形成するとともに、同環状枠ａの上側には同じく比較的肉薄の筒状の覆体ｃを一連に連続形成している。
【００１１】
さらに詳しくは、上記有底筒体ｂは、上側口縁部３を、上記円形環状板１の内周に連続させ、その上側口縁部３と上記垂下片２との間に、環状空処４を形成している。
５，５は有底筒体ｂの上側口縁部３から少し下方の外周であって、該有底筒体ｂの直径線上の対向位置に突設した係合突起である。
【００１２】
上記筒状の覆体ｃは、全体として円錐台形状のもので、下側口縁部６を上記円形環状板１の内周に連続させ、上側口縁部７から少し下方の外周であって、該覆体ｃの直径線上の対向位置に横長孔８，８を開設している。
９は覆体ｃの下側口縁部６から少し上方の外周に突設形成した注出口部、１０はその注出口部９に螺合したキャップである。
【００１３】
本発明の一実施形態に係る、厚紙により成形した支持枠体Ｂの構成は、次のとおりである。
すなわち、図示の支持枠体Ｂは、上記難自立性容器Ａの有底筒体ｂを、容易に嵌挿収納できる大きさに形成した横断面円形で有底の自立筒体ｄの、上面開口縁部１１であって、該自立筒体ｄの直径線上の対向位置にＬ形溝１２，１２を開設するとともに、これらＬ形溝１２，１２より下方であって、上記直径線とは直交する直径線上の対向位置に横長孔１３，１３を開設している。
【００１４】
上記構成の難自立性容器Ａの有底筒体ｂに、粉体、粒体、液体または粘性体等所望の充填物を充填するには、先ず、その有底筒体ｂを支持枠体Ｂの自立筒体ｄに嵌挿収納し、これにより、難自立性容器Ａの有底筒体ｂを支持枠体Ｂの自立筒体ｄに支持する。
それには、有底筒体ｂの上記係合突起５，５を自立筒体ｄのＬ形溝１２，１２の縦部分に係入するとともに、上記円形環状板１の環状空処４を自立筒体ｄの上面開口縁部１１に嵌合したところで、難自立性容器Ａを所要の方向に回動して、上記係合突起５，５をＬ形溝１２，１２の横部分に係入させる（図３，４）。  これにより、難自立性容器Ａと支持枠体Ｂとは、互いに結合状態となること明らかである。
【００１５】
そして、覆体ｃの上面開口から、粉体、粒体、液体または粘性体等所望の充填物、例えばシーリング材またはコーキング材ｐを、有底筒体ｂにその容量の八〜九分目まで充填する。その後、筒状の覆体ｃの上記横長孔８，８を開設している上部所要幅員を、高周波ウエルダー等を使用して溶着する（図５）。
これで、難自立性容器Ａは、筒状の覆体ｃの上部を上記横長孔８，８に指を通して把持することにより、あるいはまた、支持枠体Ｂの横長孔１３，１３に指を掛けて把持することにより持ち運び等が可能となる。
【００１６】
さらに、これの出荷輸送、保管等のためには、公知の段ボール箱に収納梱包することが好適なものであるが、それには、上記支持枠体Ｂを収納するのに適当な所要の大きさの段ボール箱Ｃを用意し、それに、上記のようにして支持枠体Ｂに支持した状態の難自立性容器Ａを、その支持枠体Ｂごと収納するとともに、段ボール箱Ｃの外方に飛び出し状態の筒状の覆体ｃを、段ボール箱Ｃ内に位置するように適宜折り畳み、閉蓋梱包する。
【００１７】
この段ボール箱梱包体によれば、難自立性容器Ａは、段ボール箱Ｃと支持枠体Ｂとにより二重に保護され、外部から加わる衝撃等に対する耐力を向上し、かつまた、それ自体多段に積み重ねることができるから、出荷輸送、保管等に至便である。
【００１８】
さらに、梱包を解き段ボール箱Ｃから、難自立性容器Ａを支持枠体Ｂごと取り出した後は、筒状の覆体ｃの上記横長孔８，８または支持枠体Ｂの横長孔１３，１３を利用して所望の場所に簡単に運ぶことができる。
充填物ｐの取り出しは、キャップ１０を外して注出口９から行うほか、必要に応じ、筒状の覆体ｃを、上記環状枠ａの円形環状板１との連続部分において適宜のカッターで切断除去して行うこともできる。
【００１９】
ところで、本発明は上記実施形態に限定されることなく、次のようなさまざまな変更が可能である。
【００２０】
第１に、難自立性容器Ａの材質は、軟質合成樹脂以外に各種の紙（ラミネート紙、防水紙等）でもよく、また、支持枠体Ｂの材質は、厚紙以外に所要の厚さで自立性を付与された段ボール、防水紙でもよい。
【００２１】
第２に、難自立性容器Ａの覆体ｃとしては、上記のような筒状のもの以外に、例えば環状枠ａの円形環状板１に天板を一体に張架し、その天板の中央に取っ手を設けたものでもよい。
【００２２】
第３に、難自立性容器Ａと支持枠体Ｂとは、それぞれの有底筒体ｂの底板と、自立筒体ｄの底板とに互いに噛み合う凸部と凹部を設け、それらの噛み合わせによっても、相対回動を阻止する構成としておくと、難自立性容器Ａと支持枠体Ｂ両者の結合状態が向上する。尤も、その結合性をあまり問題にしなくて足りる場合には、支持枠体Ｂの自立筒体ｄの底板を必要に応じ、切り取り可能なものとし、あるいはまた、極端には、無底構造としてもよい。
【００２３】
第４に、環状枠ａの垂下片２を、有底筒体ｂの下端と同じ位置まで長く垂下させ、それらの間に、支持枠体Ｂの自立筒体ｄを嵌入する構成とすることにより、難自立性容器Ａの有底筒体ｂの保護は、一層強化できる。
【００２４】
第５に、難自立性容器Ａも支持枠体Ｂも、その横断面を楕円形または多角形にしてもよい。
【００２５】
【発明の効果】
以上述べたところから明らかなとおり、本発明によれば、次の効果を奏する。
難自立性容器Ａの有底筒体ｂに、粉体、粒体、液体または粘性体等所望の充填物を充填するには、その有底筒体ｂを支持枠体Ｂの自立筒体ｄに嵌挿収納して、有底筒体ｂを自立筒体ｄに支持する。これにより、難自立性容器Ａの有底筒体ｂは自立状態となるので、これに上記充填物を容易に充填でき、その持ち運びもし易くなる。
【００２６】
これの出荷輸送、保管等のためには、公知の段ボール箱に収納梱包することが好適であり、それには、上記支持枠体Ｂを収納するのに適当な所要の大きさの段ボール箱Ｃに、上記のようにして支持枠体Ｂに支持した状態の難自立性容器Ａを、その支持枠体Ｂごと収納するとともに、覆体ｃが筒体で段ボール箱Ｃの外方に飛び出すときには、その筒状の覆体ｃを段ボール箱Ｃ内に位置するように適宜折り畳み、閉蓋梱包する。
【００２７】
この段ボール箱梱包体によれば、有底筒体ｂを含む難自立性容器Ａは、段ボール箱Ｃと支持枠体Ｂとにより二重に保護され、外部から加わる衝撃等に対する耐力を向上し、かつまた、それ自体多段に積み重ねることができるから、出荷輸送、保管等に至便である。
【００２８】
さらに、梱包を解き段ボール箱Ｃから、難自立性容器Ａを支持枠体Ｂごと取り出した後は、そのまま所望の場所に簡単に運ぶことができる。この場合、覆体ｃに横長孔８，８を、また支持枠体Ｂに横長孔１３，１３を開設しておけば、それらを把持に利用できること明らかである。
【図面の簡単な説明】
【図１】  本発明の一実施形態に係る難自立性容器、その支持枠体および段ボール箱の斜視図である。
【図２】  同上の断面図である。
【図３】  同上の難自立性容器と支持枠体とを結合させた状態の斜視図である。
【図４】  同上の断面図である。
【図５】  同上において、難自立性容器の筒状の覆体の上部所要幅員を溶着した状態の断面図である。
【図６】  上記結合状態で所要の充填物を充填した難自立性容器とその支持枠体を段ボール箱に収納した状態の断面図である。
【符号の説明】
Ａ    本発明難自立性容器
Ｂ    支持枠体
Ｃ    段ボール箱
ａ    環状枠
ｂ    有底筒体
ｃ    覆体
ｄ    自立筒体
ｐ    充填物
１    円形環状板
２    垂下片
３    上側口縁部
４    環状空処
５    係合突起
６    下側口縁部
７    上側口縁部
８    横長孔
９    注出口
１０  キャップ
１１  上面開口縁部
１２  Ｌ形溝
１３  横長孔
【図１】
0004068298.tif 000002
【図２】
0004068298.tif 000003
【図３】
0004068298.tif 000004
【図４】
0004068298.tif 000005
【図５】
0004068298.tif 000006
【図６】
0004068298.tif 000007